(57)【要約】【課題】  第３者による誤操作を防止する。【解決手段】  認証制御部１０３の判断結果が認証可であると、ログイン処理手段１０２ａがログインするが、入力手段はログイン状態で複数の異なる処理の選択及びその実行指定を入力させ、ログアウト処理手段１０２ａは実行指定の終了でログアウトに設定し、処理実行部１０８はログアウト状態で処理の実行を開始する。【選択図】        図１
2010136440.tif 000002
【特許請求の範囲】
【請求項１】
ユーザ認証によりユーザをログインする画像形成装置であって、
前記ユーザの識別情報を登録識別情報として予め記憶する記憶手段と、
前記認証を求めるユーザの被認証識別情報を取得する識別情報取得手段と、
取得された前記被認証識別情報と前記登録識別情報との対比に基づいて、前記ユーザ認証の可否を判断する認証手段と、
前記認証手段の判断結果がユーザ認証可であるとユーザをログインするログイン手段と、
前記ログイン後に複数の異なる処理の選択を促す表示を行い、前記複数の異なる処理の選択後に実行指定を入力する入力手段と、
前記入力手段により選択された前記複数の異なる処理の実行をログアウト状態で開始する処理実行手段と、
ユーザによって選択された前記異なる処理の実行指定が終了した状態でログアウト状態とするログアウト処理手段とを含むことを特徴とする画像形成装置。
【請求項２】
前記入力手段は、前記複数の処理の実行を促す画面及び他の処理を選択させるための画面を表示し、前記複数の処理の実行へ進むことを促す入力が成されると、前記複数の異なる処理の表示は行わずに選択した処理を実行することを特徴とする請求項１記載の画像形成装置。
【請求項３】
前記入力手段は、前記ログイン内に前記選択した複数の異なる処理各々の詳細設定を促す表示を行うことを特徴とする請求項１又は２記載の画像形成装置。
【請求項４】
前記入力手段による詳細設定は、コピー枚数を含むことを特徴とする請求項３記載の画像形成装置。
【請求項５】
前記入力手段により詳細設定を促した後に、前記選択した処理の実行へ進むか、または処理の選択を行うかを促す表示を行うことを特徴とする請求項３又は４記載の画像形成装置。
【請求項６】
前記入力手段は、処理実行の前に実行するかどうかの選択肢の入力を促し、いいえが選択されると前記表示した複数の異なる処理の選択指定を促す状態になることを特徴とする請求項５記載の画像形成装置。
【請求項７】
前記入力手段は、複数の矢印キーを持ち、前記ログイン中は前記矢印キーの入力により前記複数の異なる処理の表示を切り替え、前記複数の異なる処理から該表示された処理の選択を促すことを特徴とする請求項１乃至６記載の画像形成装置。
【請求項８】
前記複数の異なる処理は、コピー、スキャン、ファクスの各処理を含むことを特徴とする請求項１、２、３、６、７のいずれかに記載の画像形成装置。
【請求項９】
前記選択した処理は、同じ処理を複数含むことを特徴とする請求項１、２、３、５、６、７のいずれかに記載の画像形成装置。
【請求項１０】
前記選択した複数の異なる処理を示す処理要求を格納するための揮発性メモリを更に備えることを特徴とする請求項１乃至９のいずれかに記載の画像形成装置。
【発明の詳細な説明】
【技術分野】
【０００１】
本発明は、認証されたユーザが選択した処理を実行後、自動的にログアウトする画像形成装置に関する。
【背景技術】
【０００２】
従来、暗証番号によって保護された複合機で処理を実行する場合には、ユーザが自己の暗証番号を複合機に入力する。複合機は、入力された暗証番号が登録済みか否かを判断し、登録済みと判断できたユーザのみを認証し、ログインさせて処理の実行を許可する。認証されたユーザは、処理を起動させる。処理が終了すると複合機は、表示手段に初期の画面を表示し、ユーザは、この表示上のログアウトスイッチによりログアウトを要求する。又、最後のパネル操作から、予め定められているウェイト時間が経過することにより、複合機はログアウトを決定し、処理を終了させていた。ここでウェイト時間とは、所定の処理が終了後、後に続く処理の開始までログイン状態を維持継続する時間である。
【先行技術文献】
【特許文献】
【０００３】
【特許文献１】特開２００４−２４９６２５号公報
【発明の概要】
【発明が解決しようとする課題】
【０００４】
しかしながら、上記の方法では、ユーザが指定した所定の処理の終了後、ウェイト時間が経過するまでの間に、ユーザが自らログアウトしないでその場を立ち去った場合に、認証されたユーザ以外の他のユーザが、認証されたユーザになりすまし、後に続く処理（他のユーザの要求処理）を起動できるという解決すべき課題が残されていた。
【課題を解決するための手段】
【０００５】
本発明は、ユーザ認証によりユーザをログインする画像形成装置であって、前記ユーザの識別情報を登録識別情報として予め記憶する記憶手段と、前記認証を求めるユーザの被認証識別情報を取得する識別情報取得手段と、取得された前記被認証識別情報と前記登録識別情報との対比に基づいて、前記ユーザ認証の可否を判断する認証手段と、前記認証手段の判断結果がユーザ認証可であるとユーザをログインするログイン手段と、前記ログイン後に複数の異なる処理の選択を促す表示を行い、前記複数の異なる処理の選択後に実行指定を入力する入力手段と、前記入力手段により選択された前記複数の異なる処理の実行をログアウト状態で開始する処理実行手段と、ユーザによって選択された前記異なる処理の実行指定が終了した状態でログアウト状態とするログアウト処理手段とを含むことを特徴とする。
【発明の効果】
【０００６】
本発明によれば、実行指定が終了するまでログイン状態が継続するのでログイン状態のまま複数の異なる処理の選択を変更することができる上に、実行指定の終了でログアウト状態となり、このログアウト状態で処理の実行が行われるので、処理の実行中にユーザが装置から離れても第３者による誤操作を防止することができる。
【図面の簡単な説明】
【０００７】
【図１】実施例１の画像形成装置（複合機）の概略構成ブロック図である。
【図２】操作パネル部の外観図である。
【図３】実施例１の操作パネル部の表示画面の説明図である。
【図４】実施例１の暗証番号管理テーブルである。
【図５】実施例１の実行処理管理テーブルである。
【図６】実施例１の操作パネル部からの暗証番号による認証処理を示すフローチャートである。
【図７】実施例１の操作パネル部からの処理の実行を示すフローチャートである。
【図８】実施例２の画像形成装置（複合機）の概略構成ブロック図である。
【図９】実施例２の操作パネル部の表示画面の説明図である。
【図１０】実施例２の暗証番号管理テーブルである。
【図１１】実施例２の実行処理管理テーブルである。
【図１２】実施例２の操作パネル部からの暗証番号による認証処理を示すフローチャートである。
【発明を実施するための最良の形態】
【０００８】
本発明による画像形成装置（複合機）は、以下のように構成される。
【実施例１】
【０００９】
図１は、実施例１の画像形成装置（複合機）の概略構成ブロック図である。
図に示すように、実施例１の複合機１０１は、操作パネル部１０２と、認証制御部１０３と、暗証番号比較部１０４と、暗証番号管理部１０５と、不揮発性メモリ１０６と、処理格納部１０７と、処理実行部１０８と、印刷実行部１０９と、スキャン実行部１１０と、ファックス実行部１１１と、処理設定部１１２と、揮発性メモリ１１３と、一括処理選択部１１４と、計時手段１１５とを備える。
【００１０】
操作パネル部１０２は、その内部にログイン・ログアウト処理手段１０２ａを有し、ユーザから各処理の設定や暗証番号の入力を受入れたり、所定の情報を表示して複合機１０１とユーザとの間でマンマシンインタフェースの役割を分担し、処理のログイン、又はログアウトを実行する部分である。この部分については、後に再度他の図を用いて詳細に説明する。認証制御部１０３は、操作パネル部１０２を介してユーザから受入れる暗証番号に基づいて暗証番号比較部１０４、暗証番号管理部１０５、及び不揮発性メモリ１０６を制御してユーザ認証を実行し、その結果を操作パネル部１０２に通知する部分である。
【００１１】
暗証番号比較部１０４は、ユーザから受入れる暗証番号と暗証番号管理部１０５を介して不揮発性メモリ１０６から読み出す登録暗証番号との一致、不一致を判断する部分である。即ち、ユーザから受入れる暗証番号が不揮発性メモリ１０６の暗証番号管理テーブル（図４）に含まれているか否かを判断する部分である。暗証番号管理部１０５は、複合機１０１に登録された暗証番号を管理する部分である。この管理には、不揮発性メモリ１０６への認証番号の新規登録、及び不揮発性メモリ１０６からの登録認証番号の読出しも含まれる。
【００１２】
不揮発性メモリ１０６は、その内部に暗証番号管理テーブルを有し、暗証番号管理部１０５を介して、複合機１０１に予め暗証番号を格納しておく不揮発性のメモリである。暗証番号管理テーブルの内容については後に他の図を用いて再度説明する。処理格納部１０７は、ユーザによって一括処理選択部１１４を介して一括処理が選択された場合に、ユーザによる複数の処理要求（印刷処理、スキャン処理、ファックス処理など）を揮発性メモリ１１３に一時格納する部分である。
【００１３】
処理実行部１０８は、ユーザが選択した処理（印刷処理、スキャン処理、ファックス処理など）を以下に記す各種実行部に実行させる部分である。ここで、処理実行部１０８は、一括処理選択部１１４（後記）によりユーザが一括処理を選択している場合には、揮発性メモリ１１３が有している実行処理管理テーブル（後記）に基づいて処理を実行させる。又、ユーザが一括処理を選択していない場合には、受入れ順に処理を実行させる。
【００１４】
印刷実行部１０９は、印刷処理を実行する部分である。スキャン実行部１１０は、スキャン処理を実行する部分である。ファックス実行部１１１は、ファックス処理を実行する部分である。処理設定部１１２は、ユーザから操作パネル部１０２を介して受入れた処理要求を一括処理選択部１１４へ送出する部分である。一括処理選択部１１４は、ユーザから操作パネル部１０２を介して受入れた処理要求を、一括処理するか否かについてユーザの選択を求め、一括処理する場合には、その処理要求を処理格納部１０７へ送出し、一括処理しない場合には処理実行部１０８へ送出する部分である。計時手段１１５は、ユーザが行った最後のキー操作からの経過時間を計測するタイマである。
【００１５】
図２は、操作パネル部の外観図である。
図に示すように、操作パネル部１０２は、“１”を入力するボタン２０１と、“２”を入力するボタン２０２と、“３”を入力するボタン２０３と、“４”を入力するボタン２０４と、“５”を入力するボタン２０５と、“６”を入力するボタン２０６と、“７”を入力するボタン２０７と、“８”を入力するボタン２０８と、“９”を入力するボタン２０９と、“＊”を入力するボタン２１０と、“０”を入力するボタン２１１と、“＃”を入力するボタン２１２と、上カーソルキー２１３、右カーソルキー２１４、下カーソルキー２１５、及び左カーソルキー２１６と、決定を入力するＥｎｔｅｒキー２１７と、表示画面２１８と、ジョブをキャンセルするボタン２１９と、ジョブを起動させるボタン２２０を備える。
【００１６】
図３は、実施例１の操作パネル部の表示画面の説明図である。
この図は、図２の表示画面２１８に表示される画面の内容を説明する図である。
図中、画面３０１は、暗証番号入力画面である。装置の電源を投入したのち、この画面となる。この暗証番号入力画面は、複合機１０１を使用するユーザを認証する際に表示される。「暗証番号を入力してください」というプロンプトが表示され、ユーザが暗証番号を入力すると、数値の入力ごとに“＊”が表示される。ここでユーザのログインが成功した場合には画面３０３が表示される。
【００１７】
画面３０２は、ログアウト要求画面である。認証されたユーザに対してログアウト要求の意思を求める際に表示される。ユーザが、ログアウトを要求する場合は「はい」を、ログアウトを希望しない場合には「いいえ」を、それぞれ選択することになる。
【００１８】
画面３０３は、コピー待機画面である。ユーザがコピーの設定や起動をしたい場合は、画面３０３で下カーソルキー２１５（図２）を押下し、画面３０６を表示させる。画面３０６は、コピー設定画面で、コピーの各設定を行うことができる。ここでは一例としてユーザがコピー枚数１枚を設定した場合を表している。
【００１９】
また、ユーザが、コピー処理を実行したい場合には、画面３０６でボタン２２０（図２）を押下し、画面３０９を表示させる。この画面でユーザは、指定した処理を実行する「実行」と、複数の処理を指定してまとめて実行する「カートに入れる」を選択することができる。ここでユーザが実行を選択すると画面３１０が表示される。又ユーザが「カートに入れる」を選択すると画面３０３へ戻り（画面３０４に移行しても良い。）、複数の処理を指定することが可能になる。この機能は一括処理選択部１１４（図１）の機能である（以下の記述でも同様）。
【００２０】
画面３１０は、処理実行確認画面であり、指定した処理を本当に実行する「はい」と、実行しない「いいえ」を選択することができる。ここでユーザが「はい」を選択すると画面３０１が表示される。又ユーザが「いいえ」を選択すると画面３０３が表示され、印刷内容の再設定が可能になる。ここで画面３０３で右カーソルキー２１４（図２）を押下すると、画面３０４が表示される。
【００２１】
画面３０４は、スキャン待機画面である。ユーザがスキャンの設定や起動をしたい場合は、画面３０４で下カーソルキー２１５（図２）を押下し、画面３０７を表示させる。画面３０７は、スキャン設定画面で、スキャンの各設定を行うことができる。ここでは一例としてユーザがＥｍａｉｌを設定した場合を表している。
【００２２】
また、ユーザが、スキャン処理を実行したい場合には、画面３０７でボタン２２０（図２）を押下し、画面３０９を表示させる。この画面でユーザは、指定した処理を実行する「実行」と、複数の処理を指定してまとめて実行する「カートに入れる」を選択することができる。ここでユーザが実行を選択すると画面３１０が表示される。又ユーザがカートに入れるを選択すると画面３０３へ戻り（画面３０５に移行しても良い。）、複数の処理を指定することが可能になる。
【００２３】
画面３０５は、ファックス待機画面である。ファックスの設定や起動をしたい場合は、画面３０５で下カーソルキー２１５を押下し、画面３０８を表示させる。画面３０８は、ファックス設定画面で、ファックスの各設定を行うことができる。ここでは一例としてユーザがＦａｘＮｏを設定した場合を表している。
【００２４】
また、ファックス処理を実行したい場合は、画面３０８でボタン２２０（図２）を押下し、画面３０９を表示させる。画面３０９は、処理実行画面であり、処理を実行する際に表示される。この画面でユーザが実行を選択すると画面３１０が表示される。又ユーザがカートに入れるを選択すると画面３０３へ戻り、複数の処理を指定することが可能になる。
【００２５】
図４は、実施例１の暗証番号管理テーブルである。
図に示すように暗証番号は、４〜９桁の数字で構成されており、その登録数は、ユーザが任意に設定できるものとする。
【００２６】
暗証番号は、暗証番号管理部１０５（図１）により、新規登録する際に不揮発性メモリ１０６（図１）に書き込まれたり、暗証番号比較部１０４（図１）で暗証番号を確認する際に不揮発性メモリ１０６（図１）から読み込まれたりする。
【００２７】
図５は、実施例１の実行処理管理テーブルである。
実行処理管理テーブル５０１は、処理名、及び処理設定で構成されている。この実行処理管理テーブル５０１は、処理格納部１０７（図１）により、ユーザによって指定された処理要求が書き込まれたり、処理実行部１０８により、処理を実行する際に読み込まれたりする。一括処理選択部１１４（図１）を介してユーザが一括処理を選択している場合には、その並行処理の内容、および処理順番は、この実行処理管理テーブル５０１に基づいて決定される。
【００２８】
以上説明した実施例１の複合機は以下のように動作する。
図６は、実施例１の操作パネル部からの暗証番号による認証処理を示すフローチャートである。
このフローチャートは、認証制御部１０３（図１）が、操作パネル部１０２（図１）を介してユーザから受入れる暗証番号に基づいてユーザ認証を実行する動作を表している。ステップＳ１−１からステップＳ１−５まで、ステップ順に認証制御部１０３（図１）の動作について説明する。
【００２９】
ステップＳ１−１
複合機１０１（図１）は、暗証番号により保護されており、操作パネル部１０２（図１）の表示画面２１８（図３）に画面３０１（暗証番号入力画面）が表示される。
【００３０】
ステップＳ１−２
ユーザは、画面３０１（図３）で、操作パネル部１０２（図２）のボタン２０１、ボタン２０２、ボタン２０３、ボタン２０４、ボタン２０５、ボタン２０６、ボタン２０７、ボタン２０８、ボタン２０９、及びボタン２１１を使用して暗証番号を入力し、Ｅｎｔｅｒキー２１７で決定する。暗証番号が入力され終わるまでステップＳ１−１及びステップＳ１−２を繰り返し、暗証番号が入力され終わるとステップＳ１−３へ進む。
【００３１】
ステップＳ１−３
認証制御部１０３（図１）は、操作パネル部１０２（図１）を介してユーザから受入れる暗証番号に基づいて、暗証番号比較部１０４（図１）、暗証番号管理部１０５（図１）、及び不揮発性メモリ１０６（図１）を制御してユーザ認証を実行する。即ち、暗証番号比較部１０４（図１）は、ユーザから受入れる暗証番号が、不揮発性メモリ１０６の暗証番号管理テーブル（図４）に含まれているか否かを判断し、含まれている場合にはステップＳ１−５へ進み、含まれていない場合にはステップＳ１−４へ進む。
【００３２】
ステップＳ１−４
操作パネル部１０２（図１）の表示画面２１８（図３）に「暗証番号が違います」のようなメッセージが表示され、再び、操作パネル部１０２（図１）の表示画面２１８に画面３０１（暗証番号入力画面）が表示され、ステップＳ１−１へ戻る。
【００３３】
ステップＳ１−５
認証制御部１０３（図１）の認証通知に基づいて、ユーザのログインが許可され、操作パネル部１０２（図２）の表示画面２１８（図３）にコピー待機画面３０３（図３）が表示されフローを終了する。
【００３４】
図７は、実施例１の操作パネル部からの処理の実行を示すフローチャートである。
このフローチャートは、操作パネル部１０２からユーザによって入力された処理要求の実行動作を示すフローチャートである。ステップＳ１−１１からステップＳ１−１８まで、ステップ順に、入力された処理要求の実行動作について説明する。
【００３５】
ステップＳ１−１１
例えば、ユーザが複合機１０１（図１）でコピーを実行したい場合、図３の画面３０３（コピー待機画面）で下カーソルキー２１５（図２）を押下すると、画面３０６（コピー設定画面）が表示される。画面３０６（図３）でユーザがコピーの設定を行うと、処理設定部１１２（図１）で処理の設定が行われる。
【００３６】
ステップＳ１−１２
処理設定部１１２（図１）で処理の設定後、ユーザがボタン２２０（図２）を押下すると、画面３０９（処理実行画面）が表示される。画面３０９（図３）でユーザが「カートに入れる」（処理要求を揮発性メモリ１１３に格納）を選択した場合には、ステップＳ１−１３へ進み、「実行」を選択した場合には、ステップＳ１−１４へ進む。
【００３７】
ステップＳ１−１３
処理格納部１０７（図１）は、処理要求を揮発性メモリ１１３（図１）へ一時的に格納してステップＳ１−１１へ戻る。後に続く処理の入力に向けて待機するためである（再び画面３０３（図３）が表示される）。
【００３８】
ステップＳ１−１４
画面３１０（処理実行確認画面）が表示される。画面３１０でユーザが「いいえ」を選択した場合は、再び、画面３０３（コピー待機画面）が表示されステップＳ１−１１へ戻る。画面３１０（処理実行確認画面）でユーザが「はい」を選択した場合は、ステップＳ１−１５へ進む。
【００３９】
ステップＳ１−１５
処理実行部１０８（図１）は、揮発性メモリ１１３（図１）に複数の処理が格納されているかどうか確認する。揮発性メモリ１１３に複数の処理が格納されていない場合にはステップＳ１−１６へ進み、複数の処理が格納されている場合にはステップＳ１−１７へ進む。
【００４０】
ステップＳ１−１６
処理実行部１０８（図１）は、ユーザが指定した処理に対応する印刷実行部１０９（図１）、スキャン実行部１１０（図１）、又はファックス実行部１１１（図１）を制御して処理を実行させる。
【００４１】
ステップＳ１−１７
処理実行部１０８（図１）は、ユーザが指定した処理に対応する印刷実行部１０９（図１）、スキャン実行部１１０（図１）、又はファックス実行部１１１（図１）を制御し、揮発性メモリ１１３にある複数の処理を実行処理管理テーブル５０１に格納された設定に基づいて並行処理させる。処理の終了後実行処理管理テーブル５０１から、その処理内容を破棄する。
【００４２】
ステップＳ１−１８
処理の実行後、ログイン・ログアウト処理手段１０２ａ（図１）は、複合機１０１からユーザを自動的にログアウトしてフローを終了する。
又、ユーザの実行指定により、処理の登録終了と認識し、ログアウトするとともに、処理を開始する（処理を終了した後ログアウトしても良い）。
【００４３】
以上のように、第１の実施例によれば、複数の処理を一括して実行することが可能となり、処理時間を短縮出来るという効果を得る。また、処理の実行後に自動的にログアウトされるので、処理の終了後、認証されたユーザ以外の他のユーザが、認証されたユーザになりすまして複合機を利用することができないという効果がある。
【実施例２】
【００４４】
図８は、実施例２の画像形成装置（複合機）の概略構成ブロック図である。
図に示すように、実施例２の複合機２００は、操作パネル部１０２と、認証制御部９０３と、暗証番号比較部９０４と、暗証番号管理部９０５と、不揮発性メモリ９０６と、処理格納部９０７と、処理実行部９０８と、印刷実行部１０９と、スキャン実行部１１０と、ファックス実行部１１１と、処理設定部１１２と、揮発性メモリ９１３と、一括処理選択部１１４と、計時手段１１５を備える。以下に実施例１と相違する部分のみについて説明する。実施例１と同様の部分については、実施例１と同一の符号を付して説明を省略する。
【００４５】
認証制御部９０３は、操作パネル部１０２を介してユーザから受入れる暗証番号に基づいて暗証番号比較部９０４、暗証番号管理部９０５、及び不揮発性メモリ９０６を制御してユーザ認証を実行する部分である。
【００４６】
暗証番号比較部９０４は、ユーザから受入れる暗証番号と暗証番号管理部９０５を介して不揮発性メモリ９０６から読み出す登録暗証番号との一致、不一致を判断する部分である。即ち、ユーザから受入れる暗証番号が不揮発性メモリ９０６の暗証番号管理テーブル（図４）に含まれているか否かを判断する部分である。暗証番号管理部９０５は、複合機２００に登録された暗証番号を管理する部分である。この管理には、不揮発性メモリ９０６への認証番号の新規登録、及び不揮発性メモリ９０６からの登録認証番号の読出しも含まれる。
【００４７】
不揮発性メモリ９０６は、その内部に実施例１とは異なる暗証番号管理テーブルを有し暗証番号管理部９０５を介して、複合機２００に予め暗証番号を記憶する不揮発性のメモリである。暗証番号管理テーブルの内容については後に他の図を用いて再度説明する。処理格納部９０７は、その内部に未実行処理追加手段９０７ａを有し、ユーザによって一括処理選択部１１４を介して一括処理が選択された場合に、ユーザの処理要求（印刷処理、スキャン処理、ファックス処理など）を揮発性メモリ９１３に一時格納する部分である。更に、前回未実行の処理を不揮発性メモリ９０６の暗証番号管理テーブルから読み出して追加格納する部分である。
【００４８】
図９は、実施例２の操作パネル部の表示画面の説明図である。
画面１００１〜１０１０は、図３の画面３０１〜３１０に対応しており、これらについては、第１の実施例での機能と同様の機能であるため、説明を省略する。
【００４９】
画面１０１１は、未実行処理復元画面であり、認証されたユーザが、前回のログイン時に指定した処理を実行しないでログアウトした場合に表示される。前回のログイン時の未実行処理を復元する「はい」と、未実行処理を復元しない「いいえ」を選択することができる。
【００５０】
図１０は、実施例２の暗証番号管理テーブルである。
暗証番号は、４〜９桁の数字で構成されており、その登録数は、ユーザが任意で設定できるものとする。暗証番号管理部９０５により、暗証番号を登録する際に不揮発性メモリに書き込まれたり、暗証番号比較部９０４で暗証番号を確認する際に暗証番号を不揮発性メモリから読み込まれたりする。また、暗証番号で表されるユーザが、指定した処理を未実行でログアウトした場合、実行処理管理テーブル１２０１の未実行処理Ｎｏ．が暗証番号に付与される。複数の処理を要求したが、処理途中でユーザが「停止」を選択した場合には、残った処理は不揮発性メモリに記憶されログアウトされる。
【００５１】
図１１は、実施例２の実行処理管理テーブルである。
図に示すように実施例２の実行処理管理テーブル１２０１は、処理Ｎｏ、処理名、および処理設定で構成されている。処理格納部９０７により、ユーザが指定した未実行の処理を不揮発性メモリに書き込んだり、ユーザのログインの際に不揮発性メモリから読み込まれたりする。
【００５２】
以上説明した実施例２の複合機は以下のように動作する。
図１２は、実施例２の操作パネル部からの暗証番号による認証処理を示すフローチャートである。
このフローチャートは、認証制御部９０３（図８）が、操作パネル部１０２（図８）を介してユーザから受入れる暗証番号に基づいてユーザ認証を実行する動作を表している。ステップＳ２−１からステップＳ２−７まで、ステップ順に認証制御部９０３（図８）の動作について説明する。
【００５３】
ステップＳ２−１
複合機２００（図８）は、暗証番号により保護されており、認証制御部９０３（図８）により操作パネル部１０２（図８）の表示画面２１８（図９）に画面１００１（暗証番号入力画面）が表示される。
【００５４】
ステップＳ２−２
ユーザは、画面１００１（図９）で、操作パネル部１０２（図２）のボタン２０１、ボタン２０２、ボタン２０３、ボタン２０４、ボタン２０５、ボタン２０６、ボタン２０７、ボタン２０８、ボタン２０９、及びボタン２１１を使用して暗証番号を入力し、Ｅｎｔｅｒキー２１７で決定する。暗証番号が入力され終わるまでステップＳ２−１及びステップＳ２−２を繰り返し、暗証番号が入力され終わるとステップＳ２−３へ進む。
【００５５】
ステップＳ２−３
認証制御部９０３（図８）は、操作パネル部１０２（図８）を介してユーザから受入れる暗証番号に基づいて、暗証番号比較部９０４（図８）、暗証番号管理部９０５（図８）、及び不揮発性メモリ９０６（図８）を制御してユーザ認証を実行する。即ち、暗証番号比較部９０４（図８）は、ユーザから受入れる暗証番号が、不揮発性メモリ９０６の暗証番号管理テーブル（図１０）に含まれているか否かを判断し、含まれている場合にはステップＳ２−５へ進み、含まれていない場合にはステップＳ２−４へ進む。
【００５６】
ステップＳ２−４
認証制御部９０３（図８）により操作パネル部１０２（図２）の表示画面２１８（図９）に「暗証番号が違います」のようなメッセージを表示し再び、操作パネル部１０２（図９）の表示画面２１８に画面１００１（暗証番号入力画面）が表示され、ステップＳ２−１へ戻る。
【００５７】
ステップＳ２−５
認証制御部９０３（図８）は、認証されたユーザが、前回のログイン時の未実行処理が不揮発性メモリ９０６にあるかどうかを処理格納部９０７（図８）に確認する。前回のログイン時の未実行処理が不揮発性メモリ９０６（図８）に有る場合にはステップＳ２−６へ進み、無い場合にはステップＳ２−７へ進む。
【００５８】
ステップＳ２−６
処理格納部９０７（図８）は、前回のログイン時の未実行処理を揮発性メモリ９１３に格納し、不揮発性メモリ９０６から破棄する。
【００５９】
ステップＳ２−７
認証制御部９０３（図８）の認証通知に基づいて、ユーザのログインが許可され、操作パネル部１０２（図８）の表示画面２１８（図９）にコピー待機画面１００３が表示されフローを終了する。
【００６０】
尚、実施例２の操作パネル部からの処理の実行を示すフローは、上記実施例１の操作パネル部からの処理の実行を示すフロー（図７）と同様なので説明を省略する。
【００６１】
以上説明したように、第２の実施例によれば、認証されたユーザが指定した複数の処理要求を実行しなかった場合、その次のログイン時に復元できることが可能となり、処理を実行しないで誤ってログアウトする、もしくは、処理を実行しないである定められたタイムアウト時間が経過して自動的にログアウトしてしまっても、続けて処理を実行することができるという効果が期待できる。
【産業上の利用可能性】
【００６２】
上記実施例では、画像形成装置として複合機に適用した場合に限定して説明したが、本発明は、この例に限定されるものではない。即ち、コピー機やプリンタなどの印刷装置にも適用可能である。又、上記実施例では、ユーザ識別情報の入力手段から入力されるパスワードにより個人認証する構成としたが、本発明は、この例に限定されるものではない。即ち、指紋データ、孔彩データ、顔輪郭データ、静脈データ、及び、声紋データの内、少なくとも１つから得られる個人識別情報を用いて個人認証を行う構成にしても良い。又は、上記複数の個人識別情報を組合わせて用いることにより、更なるセキュリティの向上が可能になる。
【符号の説明】
【００６３】
１０１    複合機
１０２    操作パネル部
１０２ａ    ログイン・ログアウト処理手段
１０３    認証制御部
１０４    暗証番号比較部
１０５    暗証番号管理部
１０６    不揮発性メモリ
１０７    処理格納部
１０８    処理実行部
１０９    印刷実行部
１１０    スキャン実行部
１１１    ファックス実行部
１１２    処理設定部
１１３    揮発性メモリ
１１４    一括処理選択部
１１５    計時手段
【図１】
2010136440.tif 000003
【図２】
2010136440.tif 000004
【図３】
2010136440.tif 000005
【図４】
2010136440.tif 000006
【図５】
2010136440.tif 000007
【図６】
2010136440.tif 000008
【図７】
2010136440.tif 000009
【図８】
2010136440.tif 000010
【図９】
2010136440.tif 000011
【図１０】
2010136440.tif 000012
【図１１】
2010136440.tif 000013
【図１２】
2010136440.tif 000014